【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
オペレーティングシステムからの描画命令を取得してプリンタ装置が処理可能な印刷情報に変換処理するドライバを備える情報処理装置であって、
出力するプリンタ装置に関するデバイス情報を取得する第１の取得手段と、
印刷実行時にユーザが指定する印刷オプションに関する情報を取得する第２の取得手段と、
前記描画命令に圧縮データが含まれているかどうかを判断する判断手段と、
前記判断手段により前記描画命令に圧縮データが含まれていると判断された場合、該圧縮データの圧縮データフォーマットを識別する識別手段と、
前記識別手段により識別される圧縮データフォーマットに従い、該圧縮データを解凍する解凍手段と、
前記識別手段により前記圧縮データの圧縮データフォーマットが解凍時に解像度の変更が可能な圧縮データフォーマットであると識別された場合、前記第１，第２の取得手段により取得されるデバイス情報，印刷オプションに関するモード情報に従い前記解凍手段により異なる解凍処理を実行させる制御手段と、
前記制御手段により制御され解凍手段により解凍される解凍データを印刷情報として出力先に転送する転送手段と、
を有することを特徴とする情報処理装置。
【請求項２】
前記印刷オプションに関するモード情報は、圧縮データを高品質に出力する高品質モードと、圧縮データを高速に出力する高速モードとを含むことを特徴とする請求項１記載の情報処理装置。
【請求項３】
前記制御手段は、前記印刷オプションに関するモード情報に高品質モードが指定されたか高速モードが指定されたか判定し、高品質モードが指定されたと判定した場合には、前記デバイス情報よりプリンタ装置の解像度を取得し、該プリンタ装置の解像度もしくは該プリンタ装置の解像度に近い解像度で圧縮データを解凍するように前記解凍手段を制御することを特徴とする請求項２記載の情報処理装置。
【請求項４】
前記制御手段は、前記印刷オプションに関するモード情報に高速モードが指定されたと判定した場合には、該プリンタ装置の前記解像度よりも低い解像度で圧縮データを解凍するように前記解凍手段を制御することを特徴とする請求項３記載の情報処理装置。
【請求項５】
前記解凍手段により解凍されたデータを描画命令の目的のサイズに単純拡大する拡大手段を備えること特徴とする請求項４記載の情報処理装置。
【請求項６】
前記解凍時に解像度の変更が可能な圧縮データフォーマットは、ウェーブレット変換による圧縮データフォーマットを含むことを特徴とする請求項１〜５のいずれかに記載の情報処理装置。
【請求項７】
オペレーティングシステムからの描画命令を取得してプリンタ装置が処理可能な印刷情報に変換処理するドライバを備える情報処理装置における画像処理方法であって、
出力するプリンタ装置に関するデバイス情報を取得する第１の取得ステップと、
印刷実行時にユーザが指定する印刷オプションに関する情報を取得する第２の取得ステップと、
前記描画命令に圧縮データが含まれているかどうかを判断する判断ステップと、
前記判断ステップにより前記描画命令に圧縮データが含まれていると判断された場合、該圧縮データの圧縮データフォーマットを識別する識別ステップと、
前記識別ステップにより前記圧縮データの圧縮データフォーマットが解凍時に解像度の変更が可能な圧縮データフォーマットであると識別された場合、圧縮データフォーマットに従って圧縮データを解凍する際、前記第１，第２の取得ステップにより取得されるデバイス情報，印刷オプションに関するモード情報に従い、圧縮データフォーマットの圧縮データに異なる解凍処理を実行する解凍ステップと、
前記解凍ステップにより解凍される解凍データを印刷情報として出力先に転送する転送ステップと、
を有することを特徴とする画像処理方法。
【請求項８】
前記印刷オプションに関するモード情報は、圧縮データを高品質に出力する高品質モードと、圧縮データを高速に出力する高速モードとを含むことを特徴とする請求項７記載の画像処理方法。
【請求項９】
前記解凍ステップは、前記印刷オプションに関するモード情報に高品質モードが指定されたか高速モードが指定されたか判定し、高品質モードが指定されたと判定した場合には、前記デバイス情報よりプリンタ装置の解像度を取得し、該取得したプリンタ装置の解像度もしくは該プリンタ装置の解像度に近い解像度で圧縮データを解凍することを特徴とする請求項８記載の画像処理方法。
【請求項１０】
前記解凍ステップは、前記印刷オプションに関するモード情報に高速モードが指定されたと判定した場合には、該プリンタ装置の前記解像度よりも低い解像度で圧縮データを解凍することを特徴とする請求項９記載の画像処理方法。
【請求項１１】
前記解凍ステップは、解凍されたデータを描画命令の目的のサイズに単純拡大すること特徴とする請求項１０記載の画像処理方法。
【請求項１２】
前記解凍時に解像度の変更が可能な圧縮データフォーマットは、ウェーブレット変換による圧縮データフォーマットを含むことを特徴とする請求項７〜１１のいずれかに記載の画像処理方法。
【請求項１３】
請求項７〜１２のいずれかに記載の画像処理方法をコンピュータに実行させるためのプログラムを記憶したことを特徴とするコンピュータが読み取り可能な記憶媒体。
【請求項１４】
請求項７〜１２のいずれかに記載の画像処理方法をコンピュータに実行させるためのプログラム。
【手続補正２】
【補正対象書類名】明細書
【補正対象項目名】００１０
【補正方法】変更
【補正の内容】
【００１０】
本発明に係る第３の発明は、前記制御手段は、前記印刷オプションに関するモード情報に高品質モードが指定されたか高速モードが指定されたか判定し、高品質モードが指定されたと判定した場合には、前記デバイス情報よりプリンタ装置の解像度を取得し、該プリンタ装置の解像度もしくは該プリンタ装置の解像度に近い解像度で圧縮データを解凍するように前記解凍手段を制御する（図３に示すドライバ２３が実行する図８のステップＳ８−９，Ｓ８−１０）ことを特徴とする。
【手続補正３】
【補正対象書類名】明細書
【補正対象項目名】００１１
【補正方法】変更
【補正の内容】
【００１１】
本発明に係る第４の発明は、前記制御手段は、前記印刷オプションに関するモード情報に高速モードが指定されたと判定した場合には、該プリンタ装置の前記解像度よりも低い解像度で圧縮データを解凍するように前記解凍手段を制御する（図３に示すドライバ２３が実行する図８のステップＳ８−７）ことを特徴とする。
【手続補正４】
【補正対象書類名】明細書
【補正対象項目名】００１６
【補正方法】変更
【補正の内容】
【００１６】
本発明に係る第９の発明は、前記解凍ステップは、前記識別ステップにより前記圧縮データの圧縮データフォーマットが解凍時に解像度の変更が可能な圧縮データフォーマットであると識別された場合、前記印刷オプションに関するモード情報に高品質モードが指定されたか高速モードが指定されたか判定し、高品質モードが指定されたと判定した場合には、前記デバイス情報よりプリンタ装置の解像度を取得し、該プリンタ装置の解像度もしくは該プリンタ装置の解像度に近い解像度で圧縮データを解凍する（図８のステップＳ８−９，Ｓ８−１０）ことを特徴とする。
【手続補正５】
【補正対象書類名】明細書
【補正対象項目名】００１７
【補正方法】変更
【補正の内容】
【００１７】
本発明に係る第１０の発明は、前記解凍ステップは、前記印刷オプションに関するモード情報に高速モードが指定されたと判定した場合には、該プリンタ装置の前記解像度よりも低い解像度で圧縮データを解凍する（図８のステップＳ８−７）ことを特徴とする。
【手続補正６】
【補正対象書類名】明細書
【補正対象項目名】００２０
【補正方法】変更
【補正の内容】
【００２０】
本発明に係る第１３の発明は、請求項７〜１２のいずれかに記載の画像処理方法をコンピュータに実行させるためのプログラムをコンピュータが読み取り可能に記憶媒体に記憶したことを特徴とする。
【手続補正７】
【補正対象書類名】明細書
【補正対象項目名】００２１
【補正方法】変更
【補正の内容】
【００２１】
本発明に係る第１４の発明は、請求項７〜１２のいずれかに記載の画像処理方法をコンピュータに実行させるためのプログラムであることを特徴とする。